(57)【特許請求の範囲】
【請求項１】
上部にコンロを配置するようにしたガスコンロ台を載せる台枠において、
背面板が側板部材の内面の下端から上方に向って形成された凹溝に挿入固定され且つ前記背面板の下端が前記側板部材の下端よりも上方に位置するガスコンロ台に用いる台枠であって、
前記台枠の少なくとも左右の側辺部材上端が前記ガスコンロ台の側板部材下端に当接するものとし、
前記各側辺部材の上端から係止片を上方に突出させ、
前記係止片は、前記凹溝に対して下方から挿入可能な位置に設けられているガスコンロ台の台枠。
【請求項２】
ガスコンロ台は直方体状の箱体であって且つその下端部が下方に開放する構成とし、
前記台枠の上端は前記ガスコンロ台の下端部とは少なくともその背面側を除く範囲にて全域的に当接するものとし、
前記台枠の前記側辺部材の前記正面側端部又はその近傍の内面に沿って係止柱が設けられ、
前記係止柱の上端を台枠上端より上方に突出させた請求項１に記載のガスコンロ台の台枠。
【請求項３】
前記係止片は前記左右の側辺部材同士を結合する枠片に添設され、前記係止片は前記枠片より厚みが小さく形成され、更に前記枠片は前記係止片と同じ高さに設定された請求項１または請求項２に記載のガスコンロ台の台枠。
【発明の詳細な説明】
【０００１】
【発明の属する技術分野】
この発明は、ガスコンロ台の下部に敷設して、このガスコンロ台の設置高さを調整し、システムキッチンを構成する他の厨房家具に高さを合わせるためのガスコンロ台の台枠に関する。
【０００２】
【従来の技術】
図６は、厨房家具ａ，ｂ，ｃにより構成したシステムキッチンの斜視図である。うち、図の中央に設けられた厨房家具ａは収納庫ｍを備えたガスコンロ台であり、その上部にドロップインコンロｄが装備される。また両側の厨房家具ｂとｃは天板ｎ，ｐが調理台を兼ねる収納庫であり、それぞれ図の手前に扉が両開きされ、内部に食器や調理器具等が収納される。なおガスコンロ台ａの天板ｇの上面に前記ドロップインコンロｄのバーナの炎孔部やゴトクが配置され、正面側にその操作つまみやグリル扉が設けられている。これらの厨房家具の天板ｇ，ｎ，ｐがそれぞれ同一の高さｈとなるシステムキッチンとしてまとめられ、機能上及び美観上の調和が図られている。
【０００３】
ところで、このようなシステムキッチンを構成する際、シリーズが異なる等により前記ガスコンロ台の高さが他の厨房家具ｂ，ｃよりも低いことがある。この場合、天板ｇ，ｎ，ｐの間で段差が生じ、システムキッチンとしての機能性、作業性が低下し、美観も損なわれてしまう。
そのため、図６及び図７に示すように、不足寸法ｔに対応した高さの台枠ｒをガスコンロ台としての厨房家具ａの下部に敷設し、天板の高さを他と同一の高さｈとなるようにしている。前記台枠ｒはガスコンロ台ａの周壁の端面形状と同形の枠体として形成され、図７に示すように全体の高さが上記寸法ｔに形成される。また、方形状の開口の四隅には四角柱ｓ１〜ｓ４が上方に突出し、これらがガスコンロ台ａの周壁下端の開口のコーナ部に内接するように、ガスコンロ台ａが台枠ｒに載置される。この状態では、ガスコンロ台ａと台枠ｒとが、四箇所で係合し、しっかり固定され、ズレたりすることもない。
【０００４】
【発明が解決しようとする課題】
しかしながら、この従来の台枠では、ガスコンロ台たる厨房家具の下端開放部がその周壁によって方形に囲まれる構成でなければ位置決めできない。例えば、ガスコンロ台の背面側にガス供給管ｖ１，ガスコンセントｖ２及び電気コンセントｖ３等の設備部材ｖが有り、これを避けるためにガスコンロ台の前記周壁下端の背面側が開放している場合には、台枠ｒにおける背面側の四角柱ｓ３，ｓ４をガスコンロ台ａに係合させることができないからである。
【０００５】
本発明は上記問題に鑑みてなされたものであって、その目的は、ガスコンロ台の周壁の下端部が背面側に開放していても、載置されるガスコンロ台を安定的に且つズレなく固定できる台枠を提供することにある。
【０００６】
【課題を解決するための手段】
上記課題を解決するために講じた請求項１記載のガスコンロ台の台枠は、『上部にコンロを配置するようにしたガスコンロ台を載せる台枠において、背面板が側板部材の内面の下端から上方に向って形成された凹溝に挿入固定され且つ前記背面板の下端が前記側板部材の下端よりも上方に位置するガスコンロ台に用いる台枠であって、前記台枠の少なくとも左右の側辺部材上端が前記ガスコンロ台の側板部材下端に当接するものとし、前記各側辺部材の上端から係止片を上方に突出させ、前記係止片は、前記凹溝に対して下方から挿入可能な位置に設けられている』ことを特徴とする。
【０００７】
この解決手段を具備する台枠は、前記側板部材の内面にその下端から上方に所定深さの係合用の凹溝を有するガスコンロ台に使用される。そして前記台枠の係止片は前記凹溝に挿入するようにして、前記台枠にガスコンロ台が載置されると、台枠の左右の側辺部材のそれぞれ係止片が前記挿入によるガスコンロ台の側板部材との係合により、ガスコンロ台は台枠とは左右方向に加えて正面−背面方向の何れの方向にもズレ無く位置決めされる。つまり、ガスコンロ台の側板部材下端とこれに当接する台枠の左右の側辺部材上端との部分係合により位置決めされるのである。このため、ガスコンロ台の背面側の下端が開放となっていても、ガスコンロ台は上記係合により位置決めされ、台枠に安定して固定される。
【０００８】
すなわち、ガスコンロ台の背面板が前記側板部材の内面の下端から上方に向って形成された凹溝に挿入固定され且つ前記背面板の下端が前記側板部材の下端よりも上方に位置するガスコンロ台に用いる台枠とし、前記係止片は、前記凹溝に対して下方から挿入可能な位置に設けられている。
【０００９】
これにより、ガスコンロ台を台枠に載せる時、ガスコンロ台の側板部材に設けられた背面板の挿入用の凹溝を利用し、この凹溝に係止片を挿入させてガスコンロ台を台枠に係合させる。係止片が凹溝に係合するから、ガスコンロ台は台枠の左右方向に加えて正面−背面方向に対してもズレ無く位置決めされ、より安定的に台枠に固定されることは勿論、前記背面板取付用の凹溝がそのまま位置決め用の凹溝として利用でき、別途凹溝を設ける必要がない。
【００１０】
請求項２記載のガスコンロ台の台枠は、請求項１記載を限定し、『ガスコンロ台は直方体状の箱体であって且つその下端部が下方に開放する構成とし、前記台枠の上端は前記ガスコンロ台の下端部とは少なくともその背面側を除く範囲にて全域的に当接するものとし、前記台枠の前記側辺部材の前記正面側端部又はその近傍の内面に沿って係止柱が設けられ、前記係止柱の上端を台枠上端より上方に突出させた』ことを特徴とする。
【００１１】
この解決手段によれば、台枠における、ガスコンロ台の側板部材の正面側端部又はその近傍の内面に沿って、係止柱が設けられた。このため台枠には正面側に二箇所の前記係止柱が設けられたことに加えて、背面側に請求項１記載の二箇所の係止片を備え、合計四箇所の係合部が台枠に設けられている。一方、ガスコンロ台は下方を開放とする直方体の箱体である。このため、ガスコンロ台を台枠に載せる時、ガスコンロ台は、台枠のこれら四箇所の係合部で係合され、より一層に台枠の左右方向と正面−背面方向との両方向において位置決めされて固定される。
【００１２】
請求項３記載のガスコンロ台の台枠は、請求項１または請求項２記載のうち何れかを限定し、『前記係止片は前記左右の側辺部材同士を結合する枠片に添設され、前記係止片は前記枠片より厚みが小さく形成され、更に前記枠片は前記係止片と同じ高さに設定された』ことを特徴とする。この解決手段によれば、左右の側辺部材同士を結合する枠片を利用し、この枠片に係止片を添設させると共に枠片と係止片とが同じ高さに設定された。このため係止片は枠片より厚みが小さく形成されているにもかかわらず、係止片の強度が向上し、ガスコンロ台を台枠に乗せる時に側板部材の下端が係止片に接触しても、係止片の破損が極力防止できる。従ってより強固にガスコンロ台を位置決め固定することができる一方、係止片自体は厚く形成して強度を向上させる必要がなく、また別にそのための補強を講じる必要もない。
【００１３】
【発明の効果】
以上説明したように、請求項１記載のガスコンロ台の台枠によれば、ガスコンロ台の側板部材に設けられた背面板の挿入用の凹溝に係止片が挿入されてガスコンロ台を台枠に係合させることにより、ガスコンロ台の背面側の下端が開放となっていても、ガスコンロ台を位置決めして安定した固定ができる。
請求項２記載のガスコンロ台の台枠によれば、請求項１記載の係止片に加えて係止柱による位置決め機能が付加されるから、より一層にガスコンロ台をズレ無く安定して固定することができる。
請求項３記載のガスコンロ台によれば、係止片を枠片に添設させたから、係止片の強度が向上し、ガスコンロ台をより強固に位置決め固定することができる。
【００１４】
【発明の実施の形態】
本発明のガスコンロ台の台枠について添付の図面を参照しつつ説明する。図１は台枠の全体構成を示し、うち  （ａ）はその平面図、  （ｂ）は正面図、  （ｃ）は右側面図である。また図２は図１の台枠にガスコンロ台が載置される状態を示し、ガスコンロ台の背部（裏側）から見た斜視図である。更に図３は台枠にガスコンロ台を載置した時の開放空間の領域を説明する平面図である。
【００１５】
本発明の台枠Ａは同じ高さで形成された三つの枠片１１（本発明の正面部材）及び１３，１４（本発明の側辺部材）を具備し、枠片１１の両端に枠片１３，１４の一端が結合されている。又図例では両側の枠片１３，１４の他端近傍相互が同様の枠片１２で連結され、全体として矩形の枠体に構成されている。前記台枠Ａの平面形状輪郭がガスコンロ台４０の下端開放部の平面形状と同一に形成されている。そして既に説明した図６のシステムキッチン等においてガスコンロ台４０のカウンタートップの高さが、前記台枠によってほかの厨房家具ｂ，ｃと同じ高さｔとなる構成である。
【００１６】
前記ガスコンロ台４０は、同図のものと同様の収納庫を備えており、図２に示すように、収納庫の底板４５がガスコンロ台４０の下端から所定の高さで底上げされ、これによりガスコンロ台４０はその下端と底板４５との範囲が下方開放部となる。またこのガスコンロ台４０は背面側に凹んだ箱形に形成され、前記収納庫の背面側が背面板４４によって閉じられている。この例では、収納庫の両側壁となるガスコンロ台４０の両側壁４２，４３のそれぞれ内面側に設けられ、背側端縁近傍にてこれと平行に設けられた溝４２ｃ，４３ｃに背面板４４の両端部が差し込まれて固定されている。これらの溝は、側壁４２，４３の下端に開放するように形成され、前記背面板４４は、両側縁部が溝４２ｃ，４３ｃの下方開放部から挿入される。
【００１７】
背面板４４の下端は側壁４２，４３の下端よりも高い位置にあり、ガスコンロ台４０の下方開放部は背側にも開放している。背面板４４は側壁４２，４３の背側端部より正面側にあるから、ガスコンロ台４０の背面側には空間Ｋが出来ることとなり、この空間Ｋがガス配管等のスペースとなる。
上記台枠Ａの平面形状は、ガスコンロ台４０の下方開放部の平面形状に一致させてあり、背側部材となる枠片１２は、枠片１３，１４の背側端部より正面側に入り込んで取り付けられている。従って、図３に示すように、台枠Ａの背側端部を壁面ｙに当接させても、枠片１２との間に空間１０ｂが確保される。
【００１８】
この空間１０ｂは前記空間Ｋと連続し、ガスの配管路や電気コンセント等を挿通させるための空間となる。
枠片１２には、これに添うように薄板２０が重ね合わされて固定され、前記枠体１２と薄板２０の上端とは、他の枠片１１，１３，１４の上端部よりも高く設定されている。また、薄板２０の上部両端部２０ａ，２０ｂは、枠片１３，１４の内面よりも外側で外面よりも内側に位置するように、薄板２０の寸法及び取付位置が決定されている。具体的には、両端部２０ａ，２０ｂは、寸法Ｈだけ上方に突出すると共に、枠片１３，１４の内面から寸法Ｄだけ外側に張り出している。又、この寸法Ｄは溝４２ｃ，４３ｃの深さよりも小さくしてあり、台枠Ａにガスコンロ台４０の下端部を載せた時に、前記両端部２０ａ，２０ｂが前記溝４２ｃ，４３ｃに一致するように枠片１２の位置を決めている。
【００１９】
一方、枠片１３，１４の正面側端には角材製の係止柱３１，３２が台枠Ａの上端から更に上方に突出して設けられている。従って、台枠Ａにガスコンロ台４０を載せると、その下方開放部の正面壁４１の両端のコーナ部に、台枠Ａの前記係止柱３１，３２が挿入される。
従って、図２に示すように、台枠Ａの上端の上方にガスコンロ台４０の下方開放部下端が位置するようにして、このガスコンロ台４０を載置させると、係止柱３１，３２が前記下方開放部の正面側両端に係合して主として左右方向に係合し、また薄板２０の両端部２０ａ，２０ｂが、溝４２ｃ，４３ｃにはめ込まれて、主として正面−背面方向に係合する。
【００２０】
これにより、ガスコンロ台４０は、台枠Ａとは左右方向、正面−背面方向の何れにも相対移動しないように位置決めされる。尚、係止柱３１，３２がなくても、両端部２０ａ，２０ｂによる係合力が十分であれば、同様に位置決めされる。
その結果、ガスコンロ台４０における下方開放部の正面壁４１と、枠片１１とが同一面となるように位置決めされる。また両側の枠片１３，１４のそれぞれも、ガスコンロ台４０の側壁４２，４３と同一面となるように位置決めされる。
【００２１】
図例では、薄板２０と枠片１２とは別体であり、薄板２０は枠片１２に添設固定されるだけであるから、溝４２ｃ，４３ｃに嵌め込むための係止片の形成が簡単である。尚、薄板２０は、これと同じ高さの枠体１２が添設されているため、枠体１２が無い場合や、枠体１２が薄板２０よりも低い場合に比べて強度が高められる。このため、ガスコンロ台４０が台枠Ａに載せられた際に、ガスコンロ台４０の下端が薄板２０に接触しても、薄板２０の破損を極力防止することができる。しかも薄板２０の強度が高められることにより、より強固にガスコンロ台４０を位置決め固定することができる。
【００２２】
一方、このような薄板２０と枠片１２とが別体に構成されるものの他、図４に示すように、上記の両者が一体に形成された連結板１２０として用いることもできる。この実施の形態では、金属板で形成された枠片１２０の両側から図の手前にそれぞれ折り曲げられた折曲部１２０ｃ，１２０ｄが、図１の枠片１３，１４の内面に面接触状に当接されネジ止め等で固定される。そして本発明の係止片としての舌片１２０ａ，１２０ｂを、枠片１３，１４のそれぞれ上端部から突出させるようにすればよい。この場合も舌片１２０ａ，１２０ｂは、図２の例と同じように、高さＨで枠体から上方へ突出し、枠片１３，１４の内面よりもそれぞれ寸法Ｄだけ外方へ張り出すように設けられ、これら舌片１２０ａ，１２０ｂは、ガスコンロ台４０の両側壁４２，４３のそれぞれ内面側に設けられた溝４２ｃ，４３ｃに嵌め込まれる位置に設けられている。尚、図例の連結板１２０では、舌片１２０ａ，１２０ｂと連結する連結部１２０ｅを枠片１１，１３，１４と同じ高さとしているが、図の点線のように高くても良いし、図示しないが枠片高さよりも低くしても良い。この低い連結部１２０ｅとしては、一点鎖線の如く折曲部１２０ｃ，１２０ｄの下端を結ぶ連結部としてもよい。
【００２３】
他の実施の形態として、図５に示す例では、台枠Ａを全体としてＵ字状とし、前記台枠Ａの両側の枠片２１３，２１４に板状係止片２２０，２２１を取り付けてもよい。この場合も板状係止片２２０，２２１の上部は、先の実施の形態と同じように上方に突出して前記溝４２ｃ，４３ｃに嵌入結合することにより、ガスコンロ台４０と台枠Ａとが位置決めされる。図５の台枠Ａでは、図１の枠片１２や図４の連結板１２０が無い分、背側の内部空間がより大きくなる。
【００２４】
上記何れの例も収納庫の背面板４４を取り付けるために形成される溝４２ｃ，４３ｃが位置決め用として利用される利点がある。
上記した台枠Ａにガスコンロ台４０が載置された後、ガスコンロ台４０における前記下方開放部の正面壁４１と、枠片１１（或は図５の２１１）の外側部との結合部は、テープ状のシール部材で目止めするか、或はこれらを含む正面全面に化粧板を設けることにより、正面側からの見栄えを損なわなくてよい。
【００２５】
以上、説明した本発明の台枠Ａは、平面視で外形が方形状であったが、これに限定されず、例えば台形状等に形成することもできる。
【図面の簡単な説明】
【図１】本発明のガスコンロ台の台枠であり、うち  （ａ）は平面図、  （ｂ）は正面図そして  （ｃ）は右側面図である。
【図２】図１の台枠にガスコンロ台が載置される場合の斜視図である。
【図３】図２のガスコンロ台の取付状態を説明するための平面図である。
【図４】本発明の別の台枠の枠片を示す斜視図である。
【図５】本発明の別の台枠を示す斜視図である。
【図６】システムキッチンの斜視図である。
【図７】従来のガスコンロ台の取付け状態を説明する部分斜視図である。
【符号の説明】
Ａ・・・台枠
１１，１２，１３，１４・・・枠片
２０・・・薄板
３１，３２・・・係止柱
４０・・・ガスコンロ台
４２ｃ・・・溝
４３ｃ・・・溝
１２０・・・連結板
尚、各図中同一符号は、同一又は相当部分を示す。
【図１】
0003593238.tif 000002
【図２】
0003593238.tif 000003
【図３】
0003593238.tif 000004
【図４】
0003593238.tif 000005
【図５】
0003593238.tif 000006
【図６】
0003593238.tif 000007
【図７】
0003593238.tif 000008